(57)【要約】【課題】小型化及びコストダウンを図る。【解決手段】点灯装置１は、常用電源９から供給される常用電力で常用光源３０を点灯させる第１電源回路１１と、非常用電源４１から供給される非常用電力で非常用光源４０を点灯させる第２電源回路１２とを備える。点灯装置１は、点検用の操作入力を受け付ける操作入力受付回路１３と、常用電源９から第１電源回路１１への給電路に設けられた遮断回路１４とを備える。点灯装置１は、操作入力受付回路１３が操作入力を受け付けたときに遮断回路１４を制御して給電路を遮断させる制御回路１５を備える。【選択図】        図３
2020155385.tif 000002
【特許請求の範囲】
【請求項１】
常用電源から供給される常用電力で常用光源を点灯させる第１電源回路と、
非常用電源から供給される非常用電力で非常用光源を点灯させる第２電源回路と、
点検用の操作入力を受け付ける操作入力受付回路と、
前記常用電源から前記第１電源回路への給電路に設けられた遮断回路と、
前記操作入力受付回路が前記操作入力を受け付けたときに前記遮断回路を制御して前記給電路を遮断させる制御回路と、
を備える、
非常用照明器具の点灯装置。
【請求項２】
前記遮断回路は、機械的接点と、前記機械的接点を開閉する駆動部とを有する、
請求項１記載の非常用照明器具の点灯装置。
【請求項３】
前記遮断回路は、前記給電路に挿入された半導体リレーを有し、
前記制御回路は、前記半導体リレーを駆動して前記給電路を遮断させる、
請求項１記載の非常用照明器具の点灯装置。
【請求項４】
請求項１−３のいずれかの点灯装置と、
前記常用光源と、
前記非常用光源と、
前記点灯装置、前記常用光源及び前記非常用光源を収容する本体と、
を備える、
非常用照明器具。
【請求項５】
前記遮断回路は、前記本体内に収容される、
請求項４記載の非常用照明器具。
【発明の詳細な説明】
【技術分野】
【０００１】
本開示は、非常用照明器具の点灯装置及び非常用照明器具に関し、より詳細には、組込み形非常時用照明器具に相当する非常用照明器具に使用される点灯装置、及び当該点灯装置を備える非常用照明器具に関する。
【背景技術】
【０００２】
非常用照明器具には、主に併用形、専用形及び組込み形の三種類の非常用照明器具がある。併用形の非常用照明器具は、常用照明及び非常時用照明のいずれにおいても，常に非常時用照明の光源が点灯する照明器具である。専用形の非常用照明器具は、常用照明への電源が断たれたときにだけ非常時用照明の光源が点灯する照明器具である。そして、組込み形の非常用照明器具は、２個以上の光源を有し、そのうちの少なくとも１個の光源を非常用電源によって点灯させ、残り１個以上の光源を常用電源によって点灯させる照明器具である。
【０００３】
例えば、特許文献１に記載されている非常用照明器具は専用形の非常用照明器具である。特許文献１記載の非常用照明器具は、点検用のスイッチを有している。当該スイッチがオンされると、電池を電源としてランプ（光源）が点灯する。
【先行技術文献】
【特許文献】
【０００４】
【特許文献１】特開平１０−３２６５１３号公報
【発明の概要】
【発明が解決しようとする課題】
【０００５】
ところで、常用照明用の光源と非常用照明用の光源を別々に有する組込み形の非常用照明器具においては、常用電源（例えば、系統電源）からの給電路に挿入された外付けの点検スイッチがオフされることで擬似的な停電を発生させて点検が行われている。
【０００６】
しかしながら、常用電源からの給電路を開閉する点検スイッチは、往きと戻りの２本の給電路を連動して開閉させるために、二つの接点を機械的に開閉する２極のスイッチ（いわゆる両切りスイッチ）で構成されている。このような両切りスイッチは、機械式の接点を二つ備えているため、接点を一つしか備えていない片切スイッチに比べて高価であり、かつ、大型である場合が多い。
【０００７】
本開示の目的は、小型化及びコストダウンを図ることが可能な非常用照明器具の点灯装置及び非常用照明器具を提供することである。
【課題を解決するための手段】
【０００８】
本開示の一態様に係る非常用照明器具の点灯装置は、常用電源から供給される常用電力で常用光源を点灯させる第１電源回路と、非常用電源から供給される非常用電力で非常用光源を点灯させる第２電源回路とを備える。前記点灯装置は、点検用の操作入力を受け付ける操作入力受付回路と、前記常用電源から前記第１電源回路への給電路に設けられた遮断回路とを備える。前記点灯装置は、前記操作入力受付回路が前記操作入力を受け付けたときに前記遮断回路を制御して前記給電路を遮断させる制御回路を更に備える。
【０００９】
本開示の一態様に係る非常用照明器具は、前記点灯装置と、前記常用光源と、前記非常用光源と、前記点灯装置、前記常用光源及び前記非常用光源を収容する本体とを備える。
【発明の効果】
【００１０】
本開示の非常用照明器具の点灯装置及び非常用照明器具は、小型化及びコストダウンを図ることが可能になるという効果がある。
【図面の簡単な説明】
【００１１】
【図１】図１は、本開示の実施形態に係る非常用照明器具の斜視図である。
【図２】図２は、同上の非常用照明器具の分解斜視図である。
【図３】図３は、本開示の実施形態に係る点灯装置の回路ブロック図である。
【図４】図４は、同上の変形例の点灯装置の一部省略した回路ブロック図である。
【図５】図５は、同上の参考例１の点灯装置の一部省略した回路ブロック図である。
【図６】図６は、同上の参考例２の点灯装置の一部省略した回路ブロック図である。
【発明を実施するための形態】
【００１２】
本開示の実施形態に係る点灯装置及び非常用照明器具について、図面を参照して詳細に説明する。ただし、下記の実施形態において説明する各図は模式的な図であり、各構成要素の大きさ及び厚さのそれぞれの比が必ずしも実際の寸法比を反映しているとは限らない。なお、以下の実施形態で説明する構成は本開示の一例にすぎない。本開示は、以下の実施形態に限定されず、本開示の効果を奏することができれば、設計等に応じて種々の変更が可能である。
【００１３】
まず、実施形態に係る非常用照明器具２について図１及び図２を参照して説明する。実施形態に係る非常用照明器具２（以下、非常用照明器具２と略す。）は、組込み形の非常用照明器具である。非常用照明器具２は、常用光源ユニット３と、非常用光源ユニット４と、非常用電源ユニット５と、器具本体６とを備える。器具本体６は、吊りボルトに固定され、天井材の下面（天井面）に直付けされる。常用光源ユニット３は、器具本体６に対して着脱可能に取り付けられる。ただし、器具本体６は天井材に設けられる埋込孔に埋め込まれるように構成されてもよい。
【００１４】
器具本体６は、金属板により、下面が開放された長尺の箱形に形成されている（図２参照）。器具本体６の底板６０の長手方向の中央に、電源線を通すための孔６１が貫通している。また、底板６０には吊りボルトを通すための二つの孔６２が、中央の孔６１を挟んで一列に並ぶ位置に貫通している（図２参照）。
【００１５】
常用光源ユニット３は、常用光源３０（図３参照）と、常用光源３０を点灯させる第１電源回路１１（図３参照）と、常用光源３０及び第１電源回路１１が取り付けられる取付板と、取付板の下側に取り付けられるカバー３１（図２参照）とを有する。
【００１６】
常用光源３０は、一つ以上のＬＥＤモジュールで構成されることが好ましい。ＬＥＤモジュールは、長尺の長方形状に形成された基板と、基板の表面に実装された複数のＬＥＤとを有する。複数のＬＥＤは、基板の長手方向に沿って等間隔に並ぶように基板の表面（下面）に実装される。
【００１７】
取付板は、長尺の長方形状に形成されている。取付板の表面（下面）に常用光源３０が取り付けられる。また、取付板の裏面（上面）に第１電源回路１１が取り付けられる。また、取付板は、長手方向における両端寄りの位置において幅方向の一端側に延びる一対の引掛金具と、幅方向の他端側に配置される一対の引掛ばねとを有している。常用光源ユニット３は、一対の引掛金具及び一対の引掛ばねをそれぞれ器具本体６に引っ掛けることにより、器具本体６に着脱可能に取り付けられる。
【００１８】
第１電源回路１１は、金属製のケースに収容されて取付板の裏面に取り付けられる。
【００１９】
カバー３１は、アクリル樹脂又はポリカーボネート樹脂などの透光性を有する合成樹脂材料によって半円筒形に形成されている。カバー３１は、常用光源３０を覆うように取付板の下側に取り付けられる（図２参照）。なお、カバー３１は、常用光源３０から放射される光を拡散して床面に照射するように構成されることが好ましい。
【００２０】
非常用光源ユニット４は、非常用光源４０、非常用電源４１、非常用光源４０及び非常用電源４１を収容する筐体４２を有する（図２参照）。また、非常用光源ユニット４は、レンズ４３、操作ボタン４４、表示ランプ４５を更に有する。
【００２１】
非常用光源４０は、いわゆるＣｏＢ（Chip on Board）型のＬＥＤである。非常用光源４０から放射される光は、レンズ４３によって配光制御される。レンズ４３は、いわゆるバットウイング状の配光特性を実現する広角配光レンズであることが好ましい。
【００２２】
非常用電源４１は、例えば、複数本の密閉形ニッケル・水素蓄電池を有することが好ましい。これら複数本の密閉形ニッケル・水素蓄電池は、例えば、熱収縮チューブに覆われて支持されることが好ましい。
【００２３】
筐体４２は、半円筒形状に形成され、非常用光源４０、非常用電源４１及びレンズ４３を内部に収容する。ただし、筐体４２の半円筒面（下面）に窓４２０が開口し、窓４２０を通してレンズ４３の一部が筐体４２の外に露出している（図２参照）。さらに、筐体４２の内部に操作ボタン４４及び表示ランプ４５が収容される。
【００２４】
操作ボタン４４は、後述する操作入力受付回路１３の押しボタンスイッチ１３０を押し操作するための部材である。操作ボタン４４は、筐体４２の半円筒面に設けられた孔を通して押し操作可能に筐体４２に収容されている。
【００２５】
表示ランプ４５は、例えば、ラジアルリード付き又は表面実装型の緑色ＬＥＤである。表示ランプ４５は、筐体４２の半円筒面に設けられた孔を通して緑色光を出射可能に筐体４２に収容されている。
【００２６】
非常用電源ユニット５は、系統電源などの常用電源９から供給される電力（常用電力）で非常用電源４１を充電し、常用電源９の停電時に非常用電源４１から供給される電力（非常用電力）で非常用光源４０を点灯させるように構成される。非常用電源ユニット５は、金属製のケース５０を備える（図２参照）。ケース５０は、直方体状に形成されている。ケース５０内には、後述する第２電源回路１２、遮断回路１４及び制御回路１５などを構成するプリント回路が収容されている。なお、非常用電源ユニット５は、器具本体６の底板６０の下面に取り付けられる。
【００２７】
次に、実施形態に係る点灯装置１について図３を参照して詳細に説明する。実施形態に係る点灯装置１（以下、点灯装置１と略す。）は、第１電源回路１１、第２電源回路１２、操作入力受付回路１３、遮断回路１４及び制御回路１５を備える。
【００２８】
第１電源回路１１は、常用電源９の常用電力（交流電力）を直流電力に電力変換し、当該直流電力を常用光源３０に供給して常用光源３０を点灯させる。第１電源回路１１は、例えば、スイッチング電源回路を有することが好ましい。
【００２９】
第２電源回路１２は、常用電力で非常用電源４１を充電する充電回路、非常用電源４１から非常用光源４０に供給される電流を定電流化する定電流回路などを備える。
【００３０】
遮断回路１４は、電磁リレー１４０と、電磁リレー１４０を駆動する駆動回路を備える。電磁リレー１４０は、常閉型のリレー接点（機械的接点）１４１と、励磁コイル１４３（駆動部）を有する。リレー接点１４１は、常用電源９から第１電源回路１１への給電路に挿入される。電磁リレー１４０は、励磁コイル１４３に励磁電流が流れているときにリレー接点１４１をオフする。遮断回路１４は、リレー接点１４１をオフすることで常用電源９から第１電源回路１１への給電路を遮断する。
【００３１】
駆動回路は、半導体スイッチング素子１４４を有する。半導体スイッチング素子１４４は、例えば、エンハンスメント形のｎチャネルＭＯＳＦＥＴ（Metal-Oxide-Semiconductor Field-Effect Transistor）である。半導体スイッチング素子１４４のドレインが励磁コイル１４３の第１端に電気的に接続されている。半導体スイッチング素子１４４のソースがグランドに電気的に接続されている。励磁コイル１４３の第２端は制御電源回路と電気的に接続されて制御電圧Ｖccが印加されている。したがって、半導体スイッチング素子１４４がオンしたときに励磁コイル１４３に励磁電流が流れる。なお、制御電源回路（不図示）は、常用電力及び非常用電力から制御電圧Ｖccを生成するように構成される。
【００３２】
操作入力受付回路１３は、押しボタンスイッチ１３０と、抵抗器１３１とを有する。押しボタンスイッチ１３０は、常開型の接点を有し、押しボタンが押し操作されているときに接点を閉じるように構成されている。押しボタンスイッチ１３０（の接点）の一端がグランドに電気的に接続され、押しボタンスイッチ１３０（の接点）の他端が抵抗器１３１を介して制御電圧Ｖccにプルアップされている。
【００３３】
制御回路１５は、マイクロコントローラ１５０を有する。マイクロコントローラ１５０は、グランド端子１５１、入力ポート１５２、電源端子１５３、第１出力ポート１５４、第２出力ポート１５５などを有する。グランド端子１５１がグランドに電気的に接続されている。電源端子１５３に制御電圧Ｖccが入力される。入力ポート１５２は操作入力受付回路１３の押しボタンスイッチ１３０と抵抗器１３１の接続点と電気的に接続されている。第１出力ポート１５４は、第２電源回路１２と電気的に接続されている。第２出力ポート１５５は、遮断回路１４の半導体スイッチング素子１４４のゲートと電気的に接続されている。また、マイクロコントローラ１５０の別の入力ポートには、常用電源９の停電を検出する停電検出回路から停電検出信号が入力される。停電検出回路（不図示）は、例えば、常用電源９から第２電源回路１２に入力する交流電圧をしきい値と比較し、交流電圧がしきい値以下になる状態が所定時間（例えば、交流電圧の周期の数倍の時間）よりも長く継続したときに停電検出信号を出力すればよい。
【００３４】
なお、第１電源回路１１は常用光源ユニット３に含まれ、操作入力受付回路１３は非常用光源ユニット４に含まれている。また、第２電源回路１２、遮断回路１４、制御回路１５、制御電源回路及び停電検出回路は、非常用電源ユニット５に含まれている。
【００３５】
次に、常用電源９が停電していない場合と停電している場合の点灯装置１の動作を説明する。
【００３６】
常用電源９が停電していない場合、停電検出回路から制御回路１５に停電検出信号が出力されないので、制御回路１５のマイクロコントローラ１５０は、半導体スイッチング素子１４４をオンしない。半導体スイッチング素子１４４がオンしないため、電磁リレー１４０が駆動されず、リレー接点１４１がオン状態を維持する。その結果、第１電源回路１１が常用電力によって常用光源３０を点灯させ、第２電源回路１２の充電回路が常用電力によって非常用電源４１を充電する。
【００３７】
一方、常用電源９が停電している場合、常用電源９から第１電源回路１１及び第２電源回路１２への常用電力の供給が停止するので、第１電源回路１１が停止して常用光源３０が消灯する。また、第２電源回路１２の充電回路も停止する。そして、停電検出回路が常用電源９の停電を検出して停電検出信号を出力する。制御回路１５のマイクロコントローラ１５０は、停電検出信号を受け取ると、第２電源回路１２を制御し、非常用電源４１から供給される非常用電力で非常用光源４０を点灯させる。
【００３８】
続いて、点検時の点灯装置１の動作を説明する。
【００３９】
常用電源９が停電していない状況で非常用光源ユニット４の操作ボタン４４が押し操作されると、操作入力受付回路１３の押しボタンスイッチ１３０がオンする。押しボタンスイッチ１３０がオンすると、制御回路１５のマイクロコントローラ１５０の入力ポートにローレベルの操作信号が入力される。マイクロコントローラ１５０は、操作信号が入力されると、第２出力ポート１５５からハイレベルの電圧を出力することで半導体スイッチング素子１４４をオンする。半導体スイッチング素子１４４がオンすれば、電磁リレー１４０が駆動されてリレー接点１４１がオフする。その結果、遮断回路１４によって常用電源９から第１電源回路１１への給電路が遮断され、第１電源回路１１が停止して常用光源３０が消灯する。また、制御回路１５のマイクロコントローラ１５０は、第２電源回路１２を制御し、充電回路を停止するとともに、非常用電源４１から供給される非常用電力で非常用光源４０を点灯させる。なお、操作ボタン４４が押し操作されなくなれば、押しボタンスイッチ１３０がオフするので、マイクロコントローラ１５０の入力ポートにローレベルの操作信号が入力されなくなる。
【００４０】
マイクロコントローラ１５０は、操作信号が入力されなくなると、第２出力ポート１５５からハイレベルの電圧を出力しないことで半導体スイッチング素子１４４をオフする。半導体スイッチング素子１４４がオフすれば、電磁リレー１４０が駆動されなくなってリレー接点１４１がオンする。その結果、遮断回路１４によって常用電源９から第１電源回路１１への給電路が遮断されなくなり、第１電源回路１１が動作して常用光源３０が点灯する。また、マイクロコントローラ１５０は、第２電源回路１２を制御し、充電回路に非常用電源４１の充電を再開させるとともに非常用光源４０を消灯させる。
【００４１】
ところで、点検時に第１電源回路１１を強制的に停止して常用光源３０を消灯させる方法として、制御回路１５から第１電源回路１１を直接制御する方法が考えられる。しかしながら、上述のような方法を実行するためには、第１電源回路１１は、外部からの制御によって出力電流を停止する機能を有していなければならない。
【００４２】
これに対して点灯装置１では、遮断回路１４によって常用電源９から第１電源回路１１への給電路を遮断するので、第１電源回路１１が外部からの制御によって出力電流を停止する機能を有している必要はない。つまり、点灯装置１は、第１電源回路１１が外部からの制御によって出力電流を停止する機能を有するか否かにかかわらず、常用光源３０を強制的に消灯させて点検作業を行うことができる。
【００４３】
さらに、点灯装置１は、遮断回路１４によって常用電源９から第１電源回路１１への給電路を遮断するだけでなく、非常用電源４１から供給される非常用電力で非常用光源４０を点灯させるように第２電源回路１２を制御する。つまり、遮断回路１４は、常用電源９から第２電源回路１２への給電路を遮断する必要がない。その結果、点灯装置１は、従来のように２極のスイッチで常用電源９から第１電源回路１１及び第２電源回路１２への給電路を遮断する必要がないので、従来に比べて、小型化及びコストダウンを図ることができる。
【００４４】
ここで、実施形態に係る点灯装置１の変形例について、図４を参照して説明する。変形例の点灯装置１は、遮断回路１４が電磁リレー１４０に代えて半導体リレー１４５を備える点が実施形態に係る点灯装置１と相違する。なお、変形例の点灯装置１は、遮断回路１４の構成以外の構成が実施形態に係る点灯装置１と共通しているので、共通する構成要素には同一の符号を付して適宜図示及び説明を省略する。
【００４５】
変形例における遮断回路１４は、半導体リレー１４５と、半導体スイッチング素子１４４と、トライアックカプラ１４６と、三つの抵抗器Ｒ０、Ｒ１、Ｒ２とを備える。
【００４６】
半導体リレー１４５は、トライアック（双方向三端子サイリスタ）Ｑ１と、抵抗器Ｒ０とを有する。トライアックＱ１の第１端子は、抵抗器Ｒ０の第１端、常用電源９の負極及び第２電源回路１２の低電位側の入力端子と電気的に接続されている。トライアックＱ１の第２端子は、第１電源回路１１の低電位側の入力端子と電気的に接続されている。トライアックＱ１のゲート端子は、抵抗器Ｒ０の第２端と電気的に接続されている。
【００４７】
トライアックカプラ１４６は、ＬＥＤ１４７と、フォトトライアック１４８を有する。フォトトライアック１４８の第１端は、半導体リレー１４５のトライアックＱ１のゲート端子と電気的に接続されている。フォトトライアック１４８の第２端は、抵抗器Ｒ１を介して半導体リレー１４５のトライアックＱ１の第２端と電気的に接続されている。ＬＥＤ１４７のアノードは、抵抗器Ｒ２を介して制御電圧Ｖccが印加されている。半導体スイッチング素子１４４のドレインに抵抗器Ｒ２を介して制御電圧Ｖccが印加されている。ＬＥＤ１４７のカソードは、半導体スイッチング素子１４４のドレインと電気的に接続されている。
【００４８】
変形例における制御回路１５のマイクロコントローラ１５０は、点検時を除いて、第２出力ポート１５５から常にハイレベルの電圧を出力して半導体スイッチング素子１４４をオンしている。半導体スイッチング素子１４４がオンしている場合、フォトトライアック１４８のＬＥＤ１４７に電流が流れ続けるため、フォトトライアック１４８が常に導通している。フォトトライアック１４８が導通すれば、半導体リレー１４５のトライアックＱ１の第２端子とゲート端子が、抵抗器Ｒ１とフォトトライアック１４８を介して電気的に接続される。その結果、半導体リレー１４５のトライアックＱ１が常用電源９の電源電圧のゼロクロス及びその前後を除いて常にオンするため、常用電源９から第１電源回路１１への給電路は遮断されない。
【００４９】
一方、マイクロコントローラ１５０は、入力ポート１５２にローレベルの操作信号が入力されると、第２出力ポート１５５の出力電圧をローレベルにして半導体スイッチング素子１４４をオフする。半導体スイッチング素子１４４がオフすれば、トライアックカプラ１４６のフォトトライアック１４８がオフし、半導体リレー１４５のトライアックＱ１のゲート端子と抵抗器Ｒ１が電気的に切り離される。その結果、半導体リレー１４５がオフとなり、遮断回路１４によって常用電源９から第１電源回路１１への給電路が遮断される。
【００５０】
変形例の点灯装置１は、電磁リレー１４０に代えて半導体リレー１４５を使用することにより、遮断回路１４の小型化を図ることができる。
【００５１】
ところで、実施形態に係る点灯装置１及び変形例の点灯装置１において、遮断回路１４は、常用電源９から第１電源回路１１への給電路だけでなく、常用電源９から第２電源回路１２への給電路を遮断するように構成されてもよい。
【００５２】
例えば、図５に示す参考例１の点灯装置１では、遮断回路１４の電磁リレー１４０が二つのリレー接点１４１、１４２を有し、二つ目のリレー接点１４２が常用電源９から第２電源回路１２への給電路に挿入されている。参考例１の点灯装置１において、制御回路１５が半導体スイッチング素子１４４をオンして電磁リレー１４０を駆動すれば、常用電源９から第１電源回路１１及び第２電源回路１２へのそれぞれの給電路が一緒に遮断される。
【００５３】
また、図６に示す参考例２の点灯装置１では、遮断回路１４が二つの半導体リレー１４５と二つのトライアックカプラ１４６を有し、二つ目の半導体リレー１４５が常用電源９から第２電源回路１２への給電路に挿入されている。参考例２の点灯装置１において、制御回路１５が半導体スイッチング素子１４４をオフして二つの半導体リレー１４５をオフすれば、常用電源９から第１電源回路１１及び第２電源回路１２へのそれぞれの給電路が一緒に遮断される。
【００５４】
上述のように参考例１、２の点灯装置１は、遮断回路１４によって常用電源９から第１電源回路１１及び第２電源回路１２への給電路を遮断するので、制御回路１５によらずに自動的に第２電源回路１２の充電回路を停止させることができる。
【００５５】
上述のように第１の態様に係る点灯装置（１）は、非常用照明器具の点灯装置である。第１の態様に係る点灯装置（１）は、常用電源（９）から供給される常用電力で常用光源（３０）を点灯させる第１電源回路（１１）と、非常用電源（４１）から供給される非常用電力で非常用光源（４０）を点灯させる第２電源回路（１２）とを備える。第１の態様に係る点灯装置（１）は、点検用の操作入力を受け付ける操作入力受付回路（１３）と、常用電源（９）から第１電源回路（１１）への給電路に設けられた遮断回路（１４）とを備える。第１の態様に係る点灯装置（１）は、操作入力受付回路（１３）が操作入力を受け付けたときに遮断回路（１４）を制御して給電路を遮断させる制御回路（１５）を備える。
【００５６】
第１の態様に係る点灯装置（１）は、従来のように２極のスイッチで常用電源（９）から第１電源回路（１１）及び第２電源回路（１２）への給電路を遮断する必要がないので、従来に比べて、小型化及びコストダウンを図ることができる。
【００５７】
第２の態様に係る点灯装置（１）は、第１の態様との組合せにより実現され得る。第２の態様に係る点灯装置（１）において、遮断回路（１４）は、機械的接点（リレー接点１４１）と、機械的接点を開閉する駆動部（励磁コイル１４３）とを有することが好ましい。
【００５８】
第２の態様に係る点灯装置（１）は、遮断回路（１４）が機械的接点と駆動部を有する電磁リレーを備えることにより、更なる小型化を図ることができる。
【００５９】
第３の態様に係る点灯装置（１）は、第１の態様との組合せにより実現され得る。第３の態様に係る点灯装置（１）において、遮断回路（１４）は、給電路に挿入された半導体リレー（１４５）を有することが好ましい。制御回路（１５）は、半導体リレー（１４５）を駆動して給電路を遮断させることが好ましい。
【００６０】
第３の態様に係る点灯装置（１）は、遮断回路（１４）が半導体リレー（１４５）を有することにより、更なる小型化を図ることができる。
【００６１】
第４の態様に係る非常用照明器具（２）は、第１〜第３のいずれかの態様に係る点灯装置（１）と、常用光源と、非常用光源と、点灯装置（１）、常用光源及び非常用光源を収容する本体（器具本体６）とを備える。
【００６２】
第４の態様に係る非常用照明器具（２）は、点灯装置（１）の小型化及びコストダウンを図ることができる。
【００６３】
第５の態様に係る非常用照明器具（２）は、第４の態様との組合せにより実現され得る。第５の態様に係る非常用照明器具（２）において、遮断回路（１４）は、本体内に収容されることが好ましい。
【００６４】
第５の態様に係る非常用照明器具（２）は、遮断回路（１４）が本体内に収容されれば、更なる小型化を図ることができる。
【符号の説明】
【００６５】
１  点灯装置
２  非常用照明器具
６  器具本体（本体）
９  常用電源
１１  第１電源回路
１２  第２電源回路
１３  操作入力受付回路
１４  遮断回路
１５  制御回路
４０  非常用光源
４１  非常用電源
１４１  リレー接点（機械的接点）
１４３  励磁コイル（駆動部）
１４５  半導体リレー
【図１】
2020155385.tif 000003
【図２】
2020155385.tif 000004
【図３】
2020155385.tif 000005
【図４】
2020155385.tif 000006
【図５】
2020155385.tif 000007
【図６】
2020155385.tif 000008